(57)【特許請求の範囲】
【請求項１】
２線のうちの片線が接地された商用電源を使って治療直流正静電位を発生する電位発生器と、全周囲にわたって絶縁が施されるとともに前記電位発生器が発生する前記治療直流正静電位が印加される治療絶縁電床と、前記電位発生器に接続されて、被治療体である人体に接触する負電荷導子とにより、前記人体と前記治療絶縁電床との間に形成されるコンデンサを介して静電誘導により人体に対して負電荷を負荷して治療を行う治療静電位負荷装置において、
前記電位発生器は、
前記治療絶縁電床に接続される出力端子と、
前記負電荷導子に接続される接地端子と、
前記商用電源の２線と前記出力端子及び前記接地端子との間のリーク電流を検知し、前記２線のうち前記リーク電流の小さい方を接地側と判定するリーク電流検知部と、
前記商用電源の２線のうちのどちらかを順次選択して前記リーク電流検出部へ接続するライン切換部と、
前記リーク電流検知部によって接地側と判定された前記商用電源の１線と前記接地端子とを接続する接地接続部と、
前記電位発生器各部を制御する制御回路とを具備することを特徴とする治療静電位負荷装置の自動アースライン検知方式。
【請求項２】
２線のうちの片線が接地された商用電源を使って治療直流正静電位を発生する電位発生器と、全周囲にわたって絶縁が施されるとともに前記電位発生器が発生する前記治療直流正静電位が印加される治療絶縁電床と、前記電位発生器に接続されて、被治療体である人体に接触する負電荷導子とにより、前記人体と前記治療絶縁電床との間に形成されるコンデンサを介して静電誘導により人体に対して負電荷を負荷して治療を行う治療静電位負荷装置において、
前記電位発生器は、
前記治療絶縁電床に接続される出力端子と、
前記負電荷導子に接続される接地端子と、
前記商用電源の２線と前記出力端子及び前記接地端子との間のリーク電流を検知し、前記２線のうち前記リーク電流の小さい方を接地側と判定するリーク電流検知部と、
前記商用電源の２線のうちのどちらかを順次選択して前記リーク電流検出部へ接続するライン切換部と、
前記リーク電流検知部によって接地側と判定された前記商用電源の１線と前記接地端子とを接続する接地接続部と、
前記電位発生器各部を制御する制御回路とを具備することを特徴とする治療静電位負荷装置。
【発明の詳細な説明】
【０００１】
【発明の属する技術分野】
この発明は、電位治療における治療静電位負荷装置に関し、特に治療時に人体に接触する負電荷導子を接地電位に保持する機能を持つ治療静電位負荷装置の自動アースライン検知方式及び治療静電位負荷装置に関する。
【０００２】
【従来の技術】
従来から、健康増進を目的として、絶縁された人体に対して数十Ｖから数百Ｖの負静電圧を直接負荷することにより、静電位治療の効果を得るようにした負静電位治療器が広く利用されている。
【０００３】
これは特許掲載公報第２６４９１６０号に開示されているように、通常、絶縁電床をプラス電位とし、ゼロ電位の負電荷導子を人体に接触させ、前記絶縁電床と前記人体間の静電容量によって人体に電荷を負荷して治療を行うものである。前記絶縁電床と前記人体間の電位差をＶ、前記絶縁電床と前記人体間の静電容量をＣとすると、人体に負荷される電荷Ｑは、Ｑ＝Ｃ×Ｖとなる。
このような治療を行うとき、人体に接触する前記ゼロ電位の負電荷導子を人為的に接地して人体に対する感電の危険を回避しているが、このための接地点としてＡＣラインの接地側をリーク電流ランプ等によって検知し、ＡＣコンセントをさし変えるか、または別途独立の保護接地（アース）をとる必要があった。
【０００４】
【発明が解決しようとする課題】
ところが上述の方法では、人体に対する感電の危険を回避するため、前記ゼロ電位の前記負電荷導子を確実に接地するために、人為的に検出回路を働かせリーク電流をモニタし、リーク電流の小さな方にＡＣコンセントをさし変える必要があり、操作が煩雑であるという課題があった。
【０００５】
本発明は、このような背景の下になされたもので、リーク電流を自動的に検知することによって、単相１００ＶＡＣラインの接地側を特定して接地電極として使用することにより接地を確実に行い、機器の故障等によって異常なリーク電流が流れたときは出力をＯＦＦすることができる治療静電位負荷装置の自動アースライン検知方式及び治療静電位負荷装置を提供することを目的とする。
【０００６】
【課題を解決するための手段】
上述の課題を解決するためにこの発明は、２線のうちの片線が接地された商用電源を使って治療直流正静電位を発生する電位発生器と、全周囲にわたって絶縁が施されるとともに前記電位発生器が発生する前記治療直流正静電位が印加される治療絶縁電床と、前記電位発生器に接続されて、被治療体である人体に接触する負電荷導子とにより、前記人体と前記治療絶縁電床との間に形成されるコンデンサを介して静電誘導により人体に対して負電荷を負荷して治療を行う治療静電位負荷装置において、前記電位発生器は、前記治療絶縁電床に接続される出力端子と、前記負電荷導子に接続される接地端子と、前記商用電源の２線と前記出力端子及び前記接地端子との間のリーク電流を検知し、前記２線のうち前記リーク電流の小さい方を接地側と判定するリーク電流検知部と、前記商用電源の２線のうちのどちらかを順次選択して前記リーク電流検出部へ接続するライン切換部と、前記リーク電流検知部によって接地側と判定された前記商用電源の１線と前記接地端子とを接続する接地接続部と、前記電位発生器各部を制御する制御回路とを具備することを特徴とする治療静電位負荷装置の自動アースライン検知方式を提供する。
また、本発明は、２線のうちの片線が接地された商用電源を使って治療直流正静電位を発生する電位発生器と、全周囲にわたって絶縁が施されるとともに前記電位発生器が発生する前記治療直流正静電位が印加される治療絶縁電床と、前記電位発生器に接続されて、被治療体である人体に接触する負電荷導子とにより、前記人体と前記治療絶縁電床との間に形成されるコンデンサを介して静電誘導により人体に対して負電荷を負荷して治療を行う治療静電位負荷装置において、前記電位発生器は、前記治療絶縁電床に接続される出力端子と、前記負電荷導子に接続される接地端子と、前記商用電源の２線と前記出力端子及び前記接地端子との間のリーク電流を検知し、前記２線のうち前記リーク電流の小さい方を接地側と判定するリーク電流検知部と、前記商用電源の２線のうちのどちらかを順次選択して前記リーク電流検出部へ接続するライン切換部と、前記リーク電流検知部によって接地側と判定された前記商用電源の１線と前記接地端子とを接続する接地接続部と、前記電位発生器各部を制御する制御回路とを具備することを特徴とする治療静電位負荷装置を提供する。
【０００７】
【発明の実施の形態】
以下、この発明の一実施形態について図を参照しながら説明する。図１は、この発明の一実施形態による治療静電位負荷装置を使った治療器の接続を示す図である。図１において、符号１は治療静電位を発生する電位発生器、１ａはこの電位発生器１がプラス電位を出力する出力端子、１ｂは接地電位を出力する端子である。
【０００８】
また、３は治療絶縁電床、４はこの治療絶縁電床内部の導体、５は絶縁体、６は高抵抗を内蔵した負電荷導子、７は人体、８ａおよび８ｂは前記電位発生器１と前記治療絶縁電床３および前記負電荷導子６とを接続する導線であり図示のように接続され、前記絶縁電床３の前記導体４と人体７との間に印加された電圧と静電容量とによる電荷により治療が行われる。
【０００９】
また、図２は本発明の一実施形態による前記電位発生器１の内部構成と商用電源との接続を示すブロック図である。図２において、１０は単相１００Ｖの商用電源、１１はコンセントで１１ａおよび１１ｂの電極を持ち、この電極１１ｂは後述するＡＣ接地線検知によって前記商用電源の接地線側が検知され、この接地線と接続されて接地されている。
【００１０】
電位発生器１の内部構成は、電極１２ａおよび１２ｂを持つ電源プラグ１２、ヒューズ１３、ライン切換部１４、リーク電流検出部１５、接地線接続部１６、制御回路１７、電源部１８、出力回路１９、保護回路２０等からなり、プラス電位を出力する出力端子１ａと接地端子１ｂによって外部機器および人体と接続される。
【００１１】
つぎに、このような構成による前記電位発生器１の動作について説明する。
この電位発生器１は、１００Ｖ単相商用電源によって駆動され、電源部１８によって整流された直流電圧を制御回路１７によって制御された出力回路１９、保護回路２０を経て出力し、前記絶縁電床３の導体４および負荷電導子に接続されて治療が行われる。
【００１２】
この電位発生器１の商用電源の接地線検知機能は、出力設定選択時および負電荷モード即ち治療が行われるときに動作する。
商用電源の接地線検知は、ライン切換部１４により入力ライン１２ａまたは１２ｂのうちの１線を選択し、この選択された１線２１と出力端子１ａおよび接地端子１ｂとの間のリーク電流をリーク電流検知部１５によって検知する。
【００１３】
さらに、前記ライン切換部１４によって入力ライン１２ａまたは１２ｂのうち上記と別の１線を選択し、この選択された別の１線と前記出力端子１ａおよび前記接地端子１ｂとの間のリーク電流を前記リーク電流検知部１５によって検知する。
そして前記入力ライン１２ａまたは１２ｂのうちリーク電流の小さい方を接地側と判定し、この接地側を接地線接続部１６によって接地端子１ｂに接続することによって、この接地端子１ｂを確実に接地することができる。
【００１４】
上述の入力ラインの接地側検知によって接地端子１ｂを接地して装置を使用中もリーク電流検知部１５によってリーク電流の監視を継続し、リーク電流値がマイクロアンペアオーダーのレベル（レベル２）以上になった場合、再度上述の入力ラインの接地側判定を行い、リーク電流値が前記レベル２以上であれば、エラー表示部２１によってエラー表示を行う。
【００１５】
また、前記リーク電流検知部１５による前記入力ライン１２ａおよび１２ｂとの間のリーク電流レベルがナノアンペアオーダー以下のレベル（レベル１）であるとき、または１００マイクロアンペア以上のレベル（レベル３）であるとき、前記電位発生器１が故障したものと判断してエラー表示部２１によりエラー表示を行う。
【００１６】
以上、本発明の一実施形態の動作を図面を参照して詳述してきたが、本発明はこの実施形態に限られるものではなく、本発明の要旨を逸脱しない範囲の設計変更等があっても本発明に含まれる。
【００１７】
【発明の効果】
これまでに説明したように、この発明によれば、リーク電流の検知によって商用入力電源の接地側を特定することができるようにしたので、電位発生器の接地端子を確実に接地することができ、人体を感電の危険から回避することができるという効果が得られる。
【図面の簡単な説明】
【図１】  本発明の一実施形態による電位発生器を使った治療器の接続を示す図
【図２】  本発明の一実施形態による電位発生器の内部構成と商用電源との接続を示すブロック図
【符号の説明】
１  電位発生器
１ａ  出力端子
１ｂ  接地端子
３  治療絶縁電床
４  導体
５  絶縁体
６  負電荷導子
７  人体
８ａ  導線
８ｂ  導線
１０  商用電源
１１  電源コンセント
１２  電源プラグ
１３  ヒューズ
１４  ライン切換部
１５  リーク電流検知部
１６  接地線接続部
１７  制御回路
１８  電源部
１９  出力回路
２０  保護回路
２１  エラー表示部
【図１】
0004297997.tif 000002
【図２】
0004297997.tif 000003